(57)【特許請求の範囲】
【請求項１】
回動自在なアンテナを給電用金具を利用して回路基板の回路に電気的に接続させるためのアンテナ給電構造において、
アンテナの片端側には導体から成るアンテナ回転軸が突出形成され、このアンテナ回転軸の先端は球面形状と成しており、
給電用金具は、回路基板への取り付け部と、アンテナ回転軸の先端部に接触接続するアンテナ接触接続部と、アンテナ接触接続部を取り付け部に支持すると共にアンテナ接触接続部からアンテナ回転軸に向かう方向の付勢力を発生させる弾性支持部とを有して構成されており、
給電用金具のアンテナ接触接続部は、アンテナ回転軸の先端部の球面形状に応じた球面状の凹面を有し、
アンテナ回転軸の球面形状の先端部は、アンテナ接触接続部の球面状の凹面に押圧接触してアンテナ接触接続部に接続されていることを特徴とするアンテナ給電構造。
【請求項２】
給電用金具の弾性支持部は、回路基板の端面と間隔を介し当該回路基板の端面に沿って伸設するアンテナ受け板部と、このアンテナ受け板部の両端部を折り返し方向に曲げ当該曲げの先端側を回路基板の端面に当接するか又は給電用金具の取り付け部に連接して成る弾性付与部とを有して構成され、
アンテナ受け板部の一部の板面に球面状の凹面が形成されてアンテナ接触接続部が設けられており、
アンテナ受け板部の両端側の弾性付与部のうちの少なくとも一方側が取り付け部に導通接続されていることを特徴とする請求項１記載のアンテナ給電構造。
【請求項３】
弾性支持部とアンテナ接触接続部との連接部分には強度強化用のリブが設けられていることを特徴とする請求項１記載のアンテナ給電構造。
【請求項４】
弾性支持部とアンテナ接触接続部との連接部分には強度強化用のリブが設けられていることを特徴とする請求項２記載のアンテナ給電構造。
【請求項５】
アンテナ接触接続部が取り付け部に支持されている状態で、アンテナ接触接続部からアンテナ回転軸に加えられる付勢力の向きに沿う方向をＺ方向としたときに、互いに直交するＸ方向とＹ方向とＺ方向の三方向にアンテナ接触接続部を変位させ得る湾曲変形可能部が弾性支持部に設けられていることを特徴とする請求項１記載のアンテナ給電構造。
【請求項６】
アンテナ接触接続部が取り付け部に支持されている状態で、アンテナ接触接続部からアンテナ回転軸に加えられる付勢力の向きに沿う方向をＺ方向としたときに、互いに直交するＸ方向とＹ方向とＺ方向の三方向にアンテナ接触接続部を変位させ得る湾曲変形可能部が弾性支持部に設けられていることを特徴とする請求項２記載のアンテナ給電構造。
【発明の詳細な説明】
【技術分野】
【０００１】
本発明は、回動自在なアンテナを給電用金具を利用して回路基板の回路に電気的に接続させるためのアンテナ給電構造に関するものである。
【背景技術】
【０００２】
図９にはカード装置の一外観例が簡略化した模式図により示されている。このカード装置４１は、カードケース４２と、このカードケース４２内に収容配置されている回路基板４３と、カードケース４２の外側に回動自在に配設され回路基板４３に形成されている回路（図示せず）に電気的に接続するアンテナ４４とを有して構成されている。【０００３】
アンテナ４４の片端側には導体から成るアンテナ回転軸４５が突出形成され、カードケース４２の側壁には、そのアンテナ回転軸４５をカードケース４２の外側から内側に挿入させるための貫通孔が設けられている。アンテナ回転軸４５は、そのアンテナ回転軸挿通用の貫通孔を通してカードケース４２の内部に挿入されて、回路基板４３に設けられている回路に電気的に接続されている。これにより、アンテナ４４はアンテナ回転軸４５を介して回路基板４３の回路に電気的に接続される。【０００４】
【特許文献１】特開２００１−３３９２１１号公報
【特許文献２】特表平１１−５０４７７１号公報
【発明の開示】
【発明が解決しようとする課題】
【０００５】
ところで、アンテナ回転軸４５は回動することから、このアンテナ回転軸４５の回動に起因した様々な理由によって、アンテナ回転軸４５を直接的に回路基板４３に接続することは好ましくない。このことから、例えば、図１０のモデル図に示されるような給電用金具４６が提案されている。この給電用金具４６は、アンテナ回転軸４５を回路基板４３に直接的に接続させることなく、アンテナ回転軸４５を回路基板４３の回路に電気的に接続させるためのものである。【０００６】
給電用金具４６は全体が導体により構成されている。当該給電用金具４６は、回路基板４３への取り付け部４７と、アンテナ回転軸４５に接触接続するアンテナ接触接続部４８と、アンテナ接触接続部４８を取り付け部４７に弾性支持する弾性支持部４９とを有して構成されている。弾性支持部４９は、アンテナ接触接続部４８からアンテナ回転軸４５に向かう方向の付勢力を発生させることができる弾性（ばね性）を有するものである。【０００７】
給電用金具４６の取り付け部４７は回路基板４３の回路に電気的に接続されている。アンテナ回転軸４５が給電用金具４６のアンテナ接触接続部４８に押圧接触して電気的に接続することにより、アンテナ４４は、アンテナ回転軸４５と給電用金具４６を介して回路基板４３の回路に電気的に接続される。【０００８】
このように、図１０に示される給電用金具４６を利用することで、アンテナ回転軸４５を直接的に回路基板４３に接続させることなく、アンテナ４４を回路基板４３の回路に電気的に接続させることができる。しかしながら、図１０に示されるような給電用金具４６を利用することにより、次に示すような問題が発生する。【０００９】
すなわち、アンテナ回転軸４５の先端面は球面状であるのに対して、給電用金具４６のアンテナ接触接続部４８におけるアンテナ回転軸接触部分は平面状である。このため、アンテナ回転軸４５と、給電用金具４６のアンテナ接触接続部４８とは点接触の状態であり、接触面積は非常に狭い。また、アンテナ４４の回動によってアンテナ回転軸４５はぶれやすいことから、アンテナ４４が回動すると、給電用金具４６のアンテナ接触接続部４８におけるアンテナ回転軸４５の接触位置が変動し易い。このように、アンテナ回転軸４５とアンテナ接触接続部４８との接触面積が狭いことと、アンテナ接触接続部４８におけるアンテナ回転軸４５の接触位置が変動し易いこととによって、アンテナ回転軸４５をアンテナ接触接続部４８に安定的に接触接続させること（換言すれば、アンテナ４４と回路基板４３の回路との電気的接続の安定性を得ること）が難しいという問題がある。【００１０】
また、回路基板４３とアンテナ回転軸４５との間の間隔は、様々な要因によって定まるものであり、その回路基板４３とアンテナ回転軸４５間の間隔の設計の自由度は低い。このため、アンテナ回転軸４５と、給電用金具４６のアンテナ接触接続部４８との接触圧を可変しようとする場合には、例えば、回路基板４３に対する給電用金具４６の取り付け位置を可変したり、給電用金具４６の弾性支持部４９の弾性力を可変すべく給電用金具４６の設計変更を行うこととなる。しかしながら、回路基板４３とアンテナ回転軸４５間の間隔は狭いために、給電用金具４６の取り付け位置の移動可能な範囲は狭い。このため、給電用金具４６の取り付け位置の調整によって、アンテナ回転軸４５とアンテナ接触接続部４８の接触圧を調整することは殆どできない。また、給電用金具４６の設計は、材料コストや製造工程等の様々な点を考慮して行われることから、給電用金具４６の設計には制約が多い。このため、弾性支持部４９の弾性力を可変するための設計変更は難しい。したがって、図１０に示される給電用金具４６の構成では、アンテナ回転軸４５と、給電用金具４６のアンテナ接触接続部４８との接触圧の調整が難しいという問題がある。
【課題を解決するための手段】
【００１１】
この発明は次に示す構成をもって前記課題を解決するための手段としている。すなわち、この発明は、
回動自在なアンテナを給電用金具を利用して回路基板の回路に電気的に接続させるためのアンテナ給電構造において、
アンテナの片端側には導体から成るアンテナ回転軸が突出形成され、このアンテナ回転軸の先端は球面形状と成しており、
給電用金具は、回路基板への取り付け部と、アンテナ回転軸の先端部に接触接続するアンテナ接触接続部と、アンテナ接触接続部を取り付け部に支持すると共にアンテナ接触接続部からアンテナ回転軸に向かう方向の付勢力を発生させる弾性支持部とを有して構成されており、
給電用金具のアンテナ接触接続部は、アンテナ回転軸の先端部の球面形状に応じた球面状の凹面を有し、
アンテナ回転軸の球面形状の先端部は、アンテナ接触接続部の球面状の凹面に押圧接触してアンテナ接触接続部に接続されていることを特徴としている。
【発明の効果】
【００１２】
この発明によれば、アンテナの片端側に突出形成されているアンテナ回転軸の先端は球面状と成している。このアンテナ回転軸の先端部が接触接続する給電用金具のアンテナ接触接続部は、アンテナ回転軸の先端部の球面形状に応じた球面状の凹面を有している。アンテナ接触接続部の球面形状の先端部は、アンテナ接触接続部の球面状の凹面に押圧接触する構成とした。この構成により、アンテナ回転軸の先端部と、アンテナ接触接続部との接触は曲面同士の接触となり、平面と曲面の点接触状態よりも接触面積を増加させることができる。【００１３】
また、アンテナ接触接続部は弾性支持部に支持されているので、弾性支持部の弾性変形によって、アンテナ接触接続部の配置位置を変位させることができる。このことと、アンテナ回転軸とアンテナ接触接続部とが曲面同士の押圧接触であることとによって、次に示すような効果を得ることができる。つまり、アンテナ回転軸と、アンテナ接触接続部とは、アンテナ回転軸の先端部がアンテナ接触接続部の球面状の凹面の最深部位に押圧接触している状態が最も安定している状態である。しかし、アンテナの回動によってアンテナ回転軸がぶれたり、組み立て工程でアンテナ回転軸の位置ずれが生じて、アンテナ回転軸とアンテナ接触接続部との接触接続状態が不安定になることがある。このような場合に、この発明では、アンテナ回転軸の先端部が自ずからアンテナ接触接続部の凹面の球面上を滑るように凹面の最深部位に向かって相対的に移動して、アンテナ回転軸と、アンテナ接触接続部とを最も安定した接触接続状態に自己位置修正することができる。換言すれば、この発明において特徴的な構成を備えることによって、アンテナ回転軸と、アンテナ接触接続部とは、セルフアライメントの動作を行うことができる。【００１４】
上記のように、この発明の構成を備えることによって、アンテナ回転軸とアンテナ接触接続部との接触面積を増加でき、また、アンテナ回転軸およびアンテナ接触接続部にセルフアライメントの動作を行わせることができる。このことから、アンテナ回転軸と給電用金具（アンテナ接触接続部）の接触接続の安定性を高めることができる。つまり、アンテナと、回路基板の回路との電気的な接続の信頼性を向上させることができる。【００１５】
また、アンテナ回転軸の先端部の配置位置が同じであるならば、給電用金具のアンテナ接触接続部の凹面の深さが変わると、弾性支持部の弾性変形量が変化して、アンテナ接触接続部からアンテナ回転軸への付勢力（アンテナ接触接続部とアンテナ回転軸との接触圧）が変化する。このように、この発明の構成では、アンテナ接触接続部の凹面の深さを調整するだけで、アンテナ接触接続部とアンテナ回転軸との接触圧を可変調整することができる。アンテナ接触接続部の凹面の深さを可変（設計変更）することは簡単であることから、アンテナ接触接続部とアンテナ回転軸との接触圧を要求にあった接触圧に調整することが容易となる。また、例えば、アンテナ回転軸の先端と、回路基板との間の間隔が変更になるという設計変更が行われて、給電用金具が設計変更前のままではアンテナ回転軸とアンテナ接触接続部との接触圧が変化してしまう場合に、アンテナ接触接続部の凹面の深さを可変調整するだけで、設計変更前の接触圧と同じ接触圧でもってアンテナ回転軸とアンテナ接触接続部を接触接続させることが容易にできることとなる。すなわち、この発明において特徴的な構成を備えることによって、設計変更に迅速に対応することが可能となる。
【図面の簡単な説明】
【００１６】
【図１】第１実施例のアンテナ給電構造を説明するための模式的な平面図である。
【図２ａ】第１実施例のアンテナ給電構造を構成する給電用金具を説明するための平面図である。
【図２ｂ】第１実施例のアンテナ給電構造を構成する給電用金具を説明するための側面図である。
【図２ｃ】第１実施例のアンテナ給電構造を構成する給電用金具のアンテナ接触接続部の拡大平面図である。
【図２ｄ】図２ｃのｂ−ｂ部分の模式的な断面図である。
【図３ａ】図３ｂと共に、第１実施例のアンテナ給電構造におけるアンテナ回転軸とアンテナ接触接続部の接触圧の調整例を説明するための図である。
【図３ｂ】図３ａと共に、第１実施例のアンテナ給電構造におけるアンテナ回転軸とアンテナ接触接続部の接触圧の調整例を説明するための図である。
【図４ａ】図４ｂと共に、第１実施例のアンテナ給電構造におけるアンテナ回転軸とアンテナ接触接続部の接触圧の別の調整例を説明するための図である。
【図４ｂ】図４ａと共に、第１実施例のアンテナ給電構造におけるアンテナ回転軸とアンテナ接触接続部の接触圧の別の調整例を説明するための図である。
【図５ａ】図５ｂと共に、第１実施例のアンテナ給電構造から得られる効果の一つを説明するための図である。
【図５ｂ】図５ａと共に、第１実施例のアンテナ給電構造から得られる効果の一つを説明するための図である。
【図６ａ】第２実施例のアンテナ給電構造における給電用金具の弾性支持部の形態例を模式的に表した図である。
【図６ｂ】第２実施例のアンテナ給電構造における給電用金具の弾性支持部の別の形態例を模式的に表した図である。
【図７ａ】第３実施例のアンテナ給電構造における弾性支持部とアンテナ接触接続部との連接部分を説明するための側面図である。
【図７ｂ】図７ａの上方側から弾性支持部とアンテナ接触接続部との連接部分を見た場合の模式的な平面図である。
【図７ｃ】図７ｂにおけるＣ−Ｃ部分の模式的な断面図である。
【図８】第４実施例のアンテナ給電構造を説明するためのモデル図である。
【図９】アンテナ給電構造を備えたカード型装置の一形態例を模式的に示したモデル図である。
【図１０】給電用金具の一従来例を示したモデル図である。
【符号の説明】
【００１７】
１  アンテナ給電構造
２  給電用金具
３  取り付け部
４  弾性支持部
５  アンテナ接触接続部
６  回路基板
８  凹面
１０  アンテナ回転軸
１２  湾曲変形可能部
１３  リブ
１５  アンテナ受け板部
１６  弾性付与部
【発明を実施するための最良の形態】
【００１８】
以下に、この発明に係る実施例を図面に基づいて説明する。【００１９】
図１には第１実施例のアンテナ給電構造が模式的な平面図により示されている。第１実施例のアンテナ給電構造１は、例えば図９に示されるような無線通信機能を備えたカード装置（例えばＰＣカード）等の装置に設けられるものである。当該アンテナ給電構造１は、回動自在なアンテナを回路基板の回路に電気的に接続させるための給電用金具２を有して構成されている。図２ａには、その給電用金具２が抜き出されて模式的な平面図により表されている。また、図２ｂには、図２ａの右側から給電用金具２を見た場合の模式的な側面図が表されている。【００２０】
給電用金具２は全体が導体板により構成され、回路基板への取り付け部３と、この取り付け部３から伸長形成されている弾性支持部４と、この弾性支持部４の伸長先端部に設けられているアンテナ接触接続部５とを有して構成されている。【００２１】
すなわち、取り付け部３は、給電用金具２を回路基板に取り付けるための構成部である。この取り付け部３は、給電用金具２を回路基板に取り付けることができる構成であれば、その構成は特に限定されるものではないが、図１や図２ａや図２ｂに示される例では、取り付け部３は、四角形状の平板部３ａと、この平板部３ａの一辺側を平板部３ａにほぼ直交する方向に折り曲げて成る位置決め板部３ｂと、平板部３ａの他の辺から位置決め板部３ｂの突き出し方向と同様な方向に伸長形成されている脚部３ｃとを有して構成されている。【００２２】
図１に示されるように、取り付け部３の平板部３ａが回路基板６の基板面に対向配置し、位置決め板部３ｂの板面が回路基板６の端面に当接し、さらに、脚部３ｃが回路基板６に形成されている給電用金具取り付け用の穴部７に挿入した状態で、取り付け部３が回路基板６に配設される。このように取り付け部３が配置される回路基板６の基板面部分には、回路基板６に形成されている回路のアンテナ接続部として機能する電極パッド（図示せず）が形成されている。この電極パッドと、取り付け部３とが例えばはんだ等の導電性の接合材料によって接合されることにより、給電用金具２は回路基板６に固定されると共に、回路基板６の回路に電気的に接続される。【００２３】
給電用金具２の弾性支持部４は、この第１実施例では、取り付け部３の位置決め板部３ｂの側端縁から伸長形成された板部材により構成されている。その板部材は、位置決め板部３ｂの側端縁から伸長先端側に向かう途中の位置で折り返す方向に折り曲げられた形状と成している。この板部材から成る弾性支持部材４は、板部材の板面が回路基板６の端面に沿うような姿勢でもって配置されている。この弾性支持部材４は、折り曲げ部分の弾性変形によって折り曲げ部分よりも先端側の部位が図２ａに示すＡ方向に弾性変位可能となっている。【００２４】
この第１実施例では、アンテナの片端側にはアンテナ回転軸１０が突出形成されており、そのアンテナ回転軸１０の先端は球面形状となっている（図１参照）。弾性支持部４の伸長先端側にはアンテナ接触接続部５が設けられており、このアンテナ接触接続部５は、そのようなアンテナ回転軸１０の先端部が接触接続する部位である。図２ｃには、図２ａに示すＳ方向から見たアンテナ接触接続部５が模式的に表され、図２ｄには図２ｃに示すｂ−ｂ部分の断面図が模式的に表されている。【００２５】
アンテナ接触接続部５は、アンテナ回転軸１０の先端の球面形状に応じた球面状の凹面８を有しており、その凹面８にアンテナ回転軸１０の先端部が押圧接触する。この第１実施例では、凹面８は押し出し加工により形成されており、当該凹面８の球面状の曲率半径Ｒは、アンテナ回転軸１０の先端部の球面形状の曲率半径ｒよりも大きくなっている（Ｒ＞ｒ）。【００２６】
この第１実施例では、アンテナ回転軸１０の先端部と、アンテナ接触接続部５の凹面８との接触接続状態を安定的に維持することができるように、弾性支持部４の折り曲げ部分の弾性力に基づいてアンテナ接触接続部５からアンテナ回転軸１０の先端部に付勢力が加えられる構成と成している。その付勢力の大きさは、弾性支持部４の剛性等によって調整することができるのはもちろんのこと、凹面８の深さによっても調整することができる。それというのは、凹面８の深さは、弾性支持部４の折り曲げ部分の弾性変形量に関与するものであるからである。【００２７】
例えば、図３ａに示される例では、アンテナ回転軸１０の先端部と、回路基板６の端面位置との間の間隔がＤaであり、アンテナ接触接続部５の凹面８の深さがＨaである。この状態でのアンテナ接触接続部５からアンテナ回転軸１０への付勢力の大きさ（接触圧）がＦであったとする。これに対して、図３ｂに示される例では、アンテナ接触接続部５の凹面８の深さＨbが図３ａに示した凹面８の深さＨaよりも浅くなっている。それ以外は図３ａの例と同じ条件である。この図３ｂの場合には、アンテナ接触接続部５の凹面８の深さが浅くなっている分、図３ａの例に比べて、弾性支持部４の弾性変形量が大きくなっている。このために、アンテナ接触接続部５からアンテナ回転軸１０に加えられる付勢力の大きさＦ'は、図３ａの例の付勢力の大きさＦよりも大きくなる（Ｆ'＞Ｆ）。【００２８】
また、例えば、設計変更により、アンテナ回転軸１０の先端部と、回路基板６の端面位置との間の間隔が、図４ａに示されるような間隔Ｄaである状態から、図４ｂに示されるような間隔Ｄbの状態へと狭くなった場合に、アンテナ接触接続部５の凹面８の深さが設計変更前と同じＨcのままであると、弾性支持部４の折り曲げ部分の弾性変形量が大きくなる。このために、アンテナ接触接続部５からアンテナ回転軸１０に加えられる付勢力の大きさが大きくなって、アンテナ回転軸１０の先端部とアンテナ接触接続部５の凹面８との接触圧は大きくなる。これに対して、例えば、図４ｂに示されるように、弾性支持部４の折り曲げ部分の弾性変形量が図４ａの状態と同様になるように、アンテナ接触接続部５の凹面８の深さＨdを設計変更前のＨcよりも深くする。これにより、アンテナ接触接続部５からアンテナ回転軸１０に加えられる付勢力の大きさ（換言すれば、アンテナ回転軸１０の先端部とアンテナ接触接続部５の凹面８との接触圧の大きさ）が設計変更後も設計変更前も同様となる。【００２９】
このように、アンテナ接触接続部５の凹面８の深さを調整することにより、アンテナ接触接続部５からアンテナ回転軸１０に加えられる付勢力の大きさ、つまり、アンテナ回転軸１０の先端部とアンテナ接触接続部５の凹面８との接触圧を調整することができる。【００３０】
この第１実施例では、アンテナ接触接続部５の凹面８と、アンテナ回転軸１０の先端部とは曲面同士の押圧接触であり、また、アンテナ接触接続部５は弾性変位可能な弾性支持部４によって支持されている。この構成により次に示すような効果を得ることができる。つまり、例えば、図５ｂの断面図に示されるようにアンテナ回転軸１０の回転中心軸Ｌoがアンテナ接触接続部５の凹面８の最深部位Ｏの位置に一致してアンテナ回転軸１０がアンテナ接触接続部５に接触接続されている状態が、アンテナ接触接続部５とアンテナ回転軸１０との最も安定した配置状態である。これに対して、例えば、アンテナ給電構造１を組み立てたときに、図５ａの断面図に示されるように、アンテナ回転軸１０の回転中心軸Ｌoと、アンテナ接触接続部５の凹面８の最深部位Ｏとの位置がずれてアンテナ回転軸１０とアンテナ接触接続部５の接触接続状態が不安定な状態になることがある。このような場合に、この第１実施例の構成では、アンテナ回転軸１０の先端部がアンテナ接触接続部５の凹面８の球面に沿うようにアンテナ回転軸１０とアンテナ接触接続部５が安定状態となる方向に相対的に変位できる。換言すれば、アンテナ回転軸１０とアンテナ接触接続部５は、セルフアライメントの動作を行うことができる。【００３１】
また、アンテナの回動によってアンテナ回転軸１０がぶれて、図５ａに示されるように、アンテナ回転軸１０の回転中心軸Ｌoがアンテナ接触接続部５の凹面８の最深部位Ｏからずれたときにも、アンテナ回転軸１０とアンテナ接触接続部５は、上記同様のセルフアライメントの動作をして、最も安定的な状態に変位できる。【００３２】
以下に、この第２実施例を説明する。なお、この第２実施例の説明において、第１実施例と同一構成部分には同一符号を付し、その共通部分の重複説明は省略する。【００３３】
この第２実施例では、図６ａに示されるように、弾性支持部４の折り曲げ部分１２は弾性支持部４の他の部位よりも細く形成されている。このため、アンテナ接触接続部５が弾性支持部４を介して取り付け部３に支持されている状態でアンテナ接触接続部５からアンテナ回転軸１０に加えられる付勢力の向きをＺ方向としたときに、アンテナ接触接続部５は、互いに直交するＸ方向とＹ方向とＺ方向の三方向に変位させることが可能となっている。つまり、弾性支持部４の細く形成された折り曲げ部分１２は湾曲変形可能部となっている。【００３４】
このように、弾性支持部４に湾曲変形可能部１２を設けることによって、アンテナ回転軸１０と、アンテナ接触接続部５とのセルフアライメントの動作がより一層スムーズとなる。これにより、より一層のアンテナ回転軸１０とアンテナ接触接続部５との接触接続の安定性を得ることが容易となる。この第２実施例では、湾曲変形可能部１２に関わる構成以外の構成は第１実施例と同様である。【００３５】
なお、弾性支持部４の湾曲変形可能部１２の形態は、図６ａの例に限定されるものではなく、アンテナ接触接続部５を互いに直交するＸ方向とＹ方向とＺ方向の三方向に変位させることができる形態であれば何れの形態であってもよい。例えば、図６ｂに示されるように、弾性支持部４の湾曲変形可能部１２は折り曲げ部分であって、当該折り曲げ部分は弾性支持部４の他の部分よりも細く、かつ、捻れている形態と成していてもよい。湾曲変形可能部１２を図６ｂに示されるような形態とすることにより、湾曲変形可能部１２は、図６ａの例よりも、Ｘ−Ｙ面内におけるアンテナ接触接続部５の変位をよりスムーズに行わせることができて、アンテナ接触接続部５はセルフアライメントし易くなるという効果を得ることができる。【００３６】
以下に、第３実施例を説明する。なお、この第３実施例の説明において、第１と第２の各実施例と同一構成部分には同一符号を付し、その共通部分の重複説明は省略する。【００３７】
図７ａには、第３実施例において特徴的な弾性支持部４とアンテナ接触接続部５との連接部分が抜き出され模式的に示され、図７ｂには、図７ａに示される上側から弾性支持部４とアンテナ接触接続部５との連接部分を見たときの模式的な平面図が示され、図７ｃには図７ｂのＣ−Ｃ部分の模式的な断面図が示されている。この第３実施例では、弾性支持部４とアンテナ接触接続部５との連接部分には、強度強化用のリブ１３が押し出し加工により設けられている。【００３８】
アンテナ接触接続部５にはアンテナ回転軸１０から押圧力が加えられるために、弾性支持部４とアンテナ接触接続部５との連接部分には、その押圧力に起因した力が加わる。その力によって弾性支持部４とアンテナ接触接続部５との連接部分が曲がり変形してしまい、これにより、アンテナ接触接続部５からアンテナ回転軸１０への付勢力が設定値よりも弱くなることがある。このような場合には、アンテナ回転軸１０の先端部と、アンテナ接触接続部５の凹面８との接触圧が低下する。この接触圧低下によってアンテナ回転軸１０はアンテナ接触接続部５に良好に接触接続できなくなって、アンテナと回路基板の回路との接続状態が悪化するという接続不良の問題発生が懸念されることがある。このような場合に、この第３実施例の如く、弾性支持部４とアンテナ接触接続部５の連接部分に強度強化用のリブ１３を設ける。これにより、弾性支持部４とアンテナ接触接続部５の連接部分の強度が強化されてアンテナ回転軸１０からの押圧力に起因した弾性支持部４とアンテナ接触接続部５の連接部分の曲がり変形を回避することができる。このため、アンテナ回転軸１０とアンテナ接触接続部５とを設計通りの接触圧でもって接触接続させることを維持させることが容易にできることとなり、アンテナ給電構造１を介したアンテナと回路基板の回路との電気的な接続の信頼性を高めることができる。【００３９】
この第３実施例では、強度強化用のリブ１３に関わる構成以外の構成は第１又は第２の実施例と同様である。【００４０】
以下に、第４実施例を説明する。なお、この第４実施例の説明において、第１〜第３の各実施例と同一構成部分には同一符号を付し、その共通部分の重複説明は省略する。【００４１】
この第４実施例では、弾性支持部４は、図８に示されるように、回路基板６の端面と間隔を介し当該回路基板６の端面に沿って伸設するアンテナ受け板部１５と、このアンテナ受け板部１５の両端側を折り返し方向に曲げて成る弾性付与部１６（１６ａ，１６ｂ）とを有して構成されている。【００４２】
アンテナ受け板部１５の一部の板面には球面状の凹面８が形成されてアンテナ接触接続部５が形成されている。弾性付与部１６ａの先端側は取り付け部３に連接され、また、弾性付与部１６ｂの先端側は、回路基板６の端面に当接されている。これにより、アンテナ接触接続部５は、両持ち状の態様でもって弾性支持部４により支持されている態様となっている。なお、弾性付与部１６ｂの先端側は、回路基板６の端面に当接するのではなく、取り付け部３に連結されている構成としてもよい。【００４３】
この第４実施例では、アンテナ回転軸１０の先端部がアンテナ接触接続部５の凹面８に押圧接触したときに、弾性付与部１６ａ，１６ｂによる弾性力に基づいた付勢力がアンテナ接触接続部５からアンテナ回転軸１０の先端部に加えられることとなる。【００４４】
この第４実施例では、弾性支持部４が両持ち状にアンテナ接触接続部５を支持する構成以外の構成は、第１〜第３の各実施例と同様である。つまり、例えば、第２実施例のように弾性付与部１６が弾性支持部４の湾曲変形可能部１２として機能する構成を備えていてもよいし、また、例えば、第３実施例のように弾性支持部４とアンテナ接触接続部５の連接部分には強度強化用のリブ１３が設けられている構成を備えていてもよい。【００４５】
この第４実施例では、アンテナ接触接続部５は両持ち状の態様でもって弾性支持される構成であるので、アンテナ接触接続部５の配置の安定性を高めることができる。また、片持ち状の態様でもってアンテナ接触接続部５を支持する場合に比べて、アンテナ接触接続部５に付与する付勢力を大きくすることができる。【００４６】
なお、この発明は第１〜第４の各実施例の形態に限定されるものではなく、様々な実施の形態を採り得る。例えば、第１〜第４の各実施例では、アンテナ給電構造１は、カード型装置に設けられる例を示したが、この発明のアンテナ給電構造は、無線通信機能を備えた装置であれば、カード型装置に限定されず、他の無線通信装置にも装備することが可能である。
【産業上の利用可能性】
【００４７】
本発明は、回動自在なアンテナが設けられている無線通信装置のアンテナ給電構造に適用することができるものである。本発明の構成を備えることによって、アンテナと回路基板の回路との電気的な接続の信頼性を高めることができるし、アンテナ回転軸と給電用金具との接続作業を簡単かつ確実に行うことができることから、本発明は、小型な無線通信装置のアンテナ給電構造に適用するのに特に有効である。
【図１】
0004007411.tif 000002
【図２ａ】
0004007411.tif 000003
【図２ｂ】
0004007411.tif 000004
【図２ｃ】
0004007411.tif 000005
【図２ｄ】
0004007411.tif 000006
【図３ａ】
0004007411.tif 000007
【図３ｂ】
0004007411.tif 000008
【図４ａ】
0004007411.tif 000009
【図４ｂ】
0004007411.tif 000010
【図５ａ】
0004007411.tif 000011
【図５ｂ】
0004007411.tif 000012
【図６ａ】
0004007411.tif 000013
【図６ｂ】
0004007411.tif 000014
【図７ａ】
0004007411.tif 000015
【図７ｂ】
0004007411.tif 000016
【図７ｃ】
0004007411.tif 000017
【図８】
0004007411.tif 000018
【図９】
0004007411.tif 000019
【図１０】
0004007411.tif 000020